(57)【要約】【課題】この発明は、上下方向または横方向に多数連結して構造体を形成するユニット部材において、基盤上の突出部を貫通孔に形成することにより、ユニット部材を多数連結した際に連続する一つの孔を形成して補強材を充填し、構造体の強度を高めることができるユニット部材に関する。【解決手段】 この発明は、広面を有する基盤の一側に、一または複数の柱状または筒状の突出部を設け、所定位置の該突出部の中空部を上下に貫通する貫通孔に形成し、上下方向にユニット部材を連結した際に、それぞれの突出部の貫通孔が上下に運通して縦孔となり、該縦孔にコンクリート等の補強材を充填することを特徴とする。【選択図】  図１
2008157026.tif 000002
【特許請求の範囲】
【請求項１】
上下方向または横方向に多数連結して構造体を形成するユニット部材において、
広面を有する基盤の一側に、一または複数の柱状または筒状の突出部を設け、  所定位置の該突出部の中空部を上下に貫通する貫通孔に形成し、
上下方向にユニット部材を連結した際に、それぞれの突出部の貫通孔が上下に連通する縦孔となり、
該縦孔にコンクリート等の補強材を充填して補強用の柱を形成しうることを特徴とするユニット部材。
【請求項２】
突出部が、貫通孔を有する筒部と、基盤部の底面に開口を有し頂部が天壁で塞がった筒部の２種類からなっていることを特徴とする請求項１に記載のユニット部材。
【請求項３】
貫通孔を有する筒部が基盤の中央に配置されていることを特徴とする請求項１に記載のユニット部材。
【発明の詳細な説明】
【技術分野】
【０００１】
この発明は、地中または地上の構造物、通水性を有する構造体や自然水を貯留する構造体、あるいは水上に浮かべ、また水中に沈める構造体その他各種用途に使用することができるユニット部材の改良に関する。
【背景技術】
【０００２】
本発明者は、すでに特公平４−２６６４８号などにおいて容器状部材を縦横かつ上下に配設した構造体を用いて雨水等の貯留浸透施設とする構造を提案したが、更に強度に優れたユニット部材の開発を行い、本発明を完成するに至った。
【特許文献１】特開平９−２９６４８６号
【特許文献２】特開平９−２１７３９４号
【発明の開示】
【発明が解決しようとする課題】
【０００３】
この発明は、上下方向または横方向に多数連結して構造体を形成するユニット部材において、基盤上の突出部を貫通孔に形成することにより、上下方向にユニット部材を多数連結した際に連続する一つの縦孔を形成して補強材を充填可能とし、構造体の強度を高めうることを課題としたものである。この発明の別の課題は、横方向においても、横方向にユニット部材を多数連結した際に連続する一つの横孔を形成して補強材を充填可能とし、構造体の強度を高めうることにある。
【課題を解決するための手段】
【０００４】
この発明は上記課題を解決するため、上下方向または横方向に多数連結して構造体を形成するユニット部材において、
広面を有する基盤の一側に、一または複数の柱状または筒状の突出部を設け、  所定位置の該突出部の中空部を上下に貫通する貫通孔に形成し、
上下方向にユニット部材を連結した際に、それぞれの突出部の貫通孔が上下に連通する縦孔となり、
該縦孔にコンクリート等の補強材を充填して補強用の柱を形成しうることを特徴とする。
【発明の効果】
【０００５】
この発明は、筒部を有し、貫通孔を上下または左右に連通させて縦孔、横孔として補強材を充填しうるので、ユニット部材を多数連結して構造体を組み立てる際に強度を高めることができる。
【発明を実施するための最良の形態】
【０００６】
以下に、この発明のユニット部材の実施例について図面を参照しつつ説明する。
【実施例１】
【０００７】
図１に示すユニット部材１は、プレート状の基盤部２と、該基盤部２上に突設された筒部３とからなっている。即ち、筒部３は１または複数であってもよいが図示例では中央の筒部３’が１つ、周りの筒部３が４つ配置されて合計５つが設けられた場合を例示している。この筒部３，３’は基盤部２の底面に開口３ａを有しており、基盤部２と一体に形成されている。
【０００８】
この中央の筒部３’は、頂部も開口しており、上下に貫通する貫通孔５となっている。
なお、基盤部２に筒部が１つしか設けられない場合は、筒部には貫通孔５が形成される。
また周囲の筒部３は、頂部が天壁３ｂで塞がった構成からなっている。
この筒部３，３’の頂部は、いずれが開口しあるいは閉塞していてもよいが、開口している筒部は所定の位置の筒部に限定され、上下に連結した際には貫通孔が連通して１つの縦孔となる。
【０００９】
更に、筒部３，３’は、多角形や楕円形などの任意の断面形状が採られるが、図示例では断面円形の円筒形状からなっている。
また、この筒部３，３’は上方に向かって漸次小径となるよう周壁が断面テーパ状に形成された截頭円錐形状となっている。
【００１０】
上記構成からなっているので、ユニット部材１は同じ向きで上下に積み重ねた際に、上方のユニット部材１の筒部３が下方のユニット部材１の筒部３の内部中空に入り込み積み重ねて収納することができる。
また、ユニット部材１の基盤部２は図示例の場合、平面（広面）が矩形となるプレートを示したが、この形状は特に限定されず、円形、楕円形、多角形等任意の形状からなっているものであってもよい。
この基盤部２の平面形状は、同一面状に連続して組み合わせ可能な公知形状に設定すれば組み合わせが容易になり好ましい。
【００１１】
また、ユニット部材を通気性、通水性を有する構造物の組立に用いる場合には基盤部２には透孔を設けることが好ましい。
このユニット部材１は、基盤部２が、外周に沿って平面形状が正方形の棒状に立ち上がる縁部２１を有しており、基盤部２の内部には縦横に交差して複数に仕切る縦横のリブ（図示せず）を設け、該リブで仕切られた部分に図示省略の透孔が設けられる。
【００１２】
次に、ユニット部材１は筒部３，３’に充填材を充填してもよい。
即ち、基盤２上で開口３ａしている周囲の筒部３には内部中空に充填材を収納することができる。
例えば、筒部３に発泡スチロールや発泡スチレンなどの浮力があり比重の軽い物質を充填したり筒部３の開口３ａを蓋材で閉じて密閉することによりユニット部材１の浮力を高めることができる。
【００１３】
あるいは、筒部３にコンクリートその他の強度の高い物質を充填して耐荷重を高め、あるいは比重を重くして水没可能とする等、任意の物質を用途に応じて一体に充填することができる。
充填する物質は、筒部３内部に充填することにより一体に接着または固着する充填物が好ましいが、一体とならない物質の場合には筒部の下部開口を塞ぐ底蓋を設け底面部に連結すればよく、この発明において充填物の種類は限定されない。  このようにしてユニット部材１を水中に沈めたり、浮かせたりすることができる。
【００１４】
更に、本実施例では、中央に設けた筒部３’が貫通孔５に形成されているので、ユニット部材１を上下に多数連結したときは、ユニット部材１の中央の筒部３’が上下で連通して１つの縦孔８を形成することができる。
即ち、本実施例ではユニット部材１がテーパ形状からなるので、ユニット部材を上下に連結する際には上下を反転させながら積み重ねていく。
そして継手部材を用いて上下のユニット部材を連結する。
一例として、上下のユニット部材の対向する筒部３先端間を連結する継手や、上下に重なる基盤２間を連結する継手などが用いられる。
【００１５】
このようにしてユニット部材が上下に積み重ねられると、筒部３，３’が同軸線上に位置する。
従って、中央の筒部３’の貫通孔は連通して前述のように１つの縦孔８が形成される。
この縦孔８にコンクリートや砕石などの補強材を充填することにより、中央の筒部３’を中実として補強用の縦柱８’を形成することができ、ユニット部材１が積み重ねられて形成された構造体において上下に延びる柱として機能させることができる。
【００１６】
従って、上下方向および横方向で縦横に多数のユニット部材１を連結して１つの構造体を組み立てた際には、各ユニット部材１の中央の筒部３’の位置で縦孔８が形成されるので、それらの全部、あるいは規則的に選択された一部の縦孔８に補強材を充填して、構造体の強度を高めることができる。
【００１７】
上記実施例では上下方向に一連の縦孔８を形成した場合を例示したが、ユニット部材１を同一平面上の一方向（横方向とする）に連続して連結する場合は、一連の横孔９を形成してもよい。
即ち、図４〜図６に示すユニット部材１では、前記実施例の構成に加えて、基盤２上に、横方向に連続して延びる中空の横向柱構成部６を設けている。
図示例の場合、この横向柱構成部６は、下方が開口する断面チャンネル状からなっており、ユニット部材１を上下に連結した際に上下のユニット部材１に形成されたそれぞれの横向柱構成部６が組合わさって１つの角形筒部７を形成するようになっている。
ここで横向柱構成部６を断面半円形状とすれば、連結時には円筒状となる。従って、横方向にユニット部材１を多数連結した際には、それぞれの横向柱構成部６の貫通孔が横方向に連通して一つの横孔９となり、該横孔９にコンクリート等の補強材を充填することにより構造体に補強用の横柱を形成することができる。
【００１８】
上記実施例では横向柱構成部６は、ユニット部材１を上下に連結した際に１つの横向きの筒部となる場合を例示（図６（ｂ）参照）したが、基盤２上に横向きの筒部を一体に形成するものであってもよい。
このように横向柱構成部６を筒部とすれば、ユニット部材１を上下に連結しなくても、横方向に連続する一つの横孔９を形成して、前述のような補強用の横柱を形成することができる。
【００１９】
図５に示す横向柱構成部６は、同一平面上で縦横にクロスする、平面十字形状の断面アングノレ状に形成されている。
従って、この場合には、同一平面上で縦横に多数のユニット部材１を連結することによって、マトリックス状に横孔を形成することができる。従って、任意の左右方向で連通する縦孔または横孔に補強材を充填することにより、補強用の横柱または縦柱９を形成することができる。
【００２０】
次に、図７に示すユニット部材１は、中央の筒部３の下段に拡大基部４を設けた異なる実施例を示す。
この筒部３は、上部が開口されておらず天壁３ｂで塞がっているが、下部が大径の拡大基部４に形成されているので、上下に連結されるユニット部材１の連結個所が大径となって強度を高めるので、前記実施例のように筒部を貫通孔としないでも強度を高めることができる。
この場合、前記実施例と同様に筒部を貫通孔としてもよい。
【００２１】
図８に示すユニット部材１は、基盤２の上面１２が傾斜面となっている異なる実施例を示す。
このように基盤２がテーパ状あるいはすり鉢状の傾斜面となっていることにより、泥水や土砂等が浸入した場合に外側へガイドして排出することができる。
この基盤２の上面の傾斜面は一方に傾斜する形状であってもよい。
この場合は、横方向に連結される２つのユニット部材を左右対称に連結することによって、連結部分が高く外方へ向かって漸次下降するテーパ面に形成することができる。
このように１つ、または複数のユニット部材を組み合わせて外向きに漸次下降傾斜する基盤の上面を形成することができる。
【００２２】
上記実施例では、突起部を筒部としてスタッキング可能とした場合を例示したが、柱状であってもよい。
例えば断面十字状の柱体や、柱体に突軸を架設したもの等その断面形状は特に限定されるものではない。
その他、要するにこの発明の要旨を変更しない範囲で種々変更しうること勿論である。
【図面の簡単な説明】
【００２３】
【図１】ユニット部材の実施例の側面図。
【図２】同実施例の平面図。
【図３】上下に連結した際の断面図。
【図４】横向柱構成部を設けた異なる実施例のユニット部材の平面図。
【図５】十字状の横向柱構成部を設けたユニット部材の平面図。
【図６】図５のユニット部材の断面図で（ａ）は単体を示し、（ｂ）は連結時の状態を示す。
【図７】下段を大径にした筒部の異なる実施例の断面図。
【図８】基盤上面をテーパ状とした異なる実施例の側面図。
【符号の説明】
【００２４】
１…ユニット部材
２…基盤部
３…筒部
５…貫通孔
６…横向柱構成部材
８…縦孔
８’…縦柱
９…横孔
【図１】
2008157026.tif 000003
【図２】
2008157026.tif 000004
【図３】
2008157026.tif 000005
【図４】
2008157026.tif 000006
【図５】
2008157026.tif 000007
【図６】
2008157026.tif 000008
【図７】
2008157026.tif 000009
【図８】
2008157026.tif 000010